(57)【要約】【課題】複数の表示パネルで大画面化を実現することができる表示装置を提供すること。【解決手段】表示装置は、透光性の前面板と、複数の表示パネルと、バックライトユニットとを備える。バックライトユニットは、複数の導光板と、導光板に光を入射する光源とを備える。複数の表示パネルは、前面板に貼り合わせられ、前面板よりも小さい。複数の導光板は、表示パネルと一対一となるように対向配置される。【選択図】図１
2019160747.tif 000002
【特許請求の範囲】
【請求項１】
透光性の前面板と、
前記前面板に貼り合わせられ、前記前面板よりも小さい複数の表示パネルと、
前記表示パネルと一対一となるように対向配置される複数の導光板と、前記導光板に光を入射する光源とを備える、バックライトユニットとを備える、
表示装置。
【請求項２】
前記前面板は、湾曲部分を有している、
請求項１に記載の表示装置。
【請求項３】
前記導光板において、前記表示パネルに対向する側の放射面が平面である、請求項１又は２に記載の表示装置。
【請求項４】
前記複数の導光板において、前記表示パネルに対向する複数の放射面及び隣り合う前記導光板の間は、１つの光学シートに覆われている
請求項１から３のいずれか１項に記載の表示装置。
【請求項５】
隣り合う前記導光板の間を覆う光学シートの曇り度は、前記表示パネルに対向する複数の放射面を覆う曇り度よりも大きい
請求項１から４のいずれか１項に記載の表示装置。
【請求項６】
隣り合う前記導光板の間には、透光性の光学樹脂又は透光性のシリコーン樹脂の充填材がある
請求項１から５のいずれか１項に記載の表示装置。
【請求項７】
前記光源は、複数の発光素子を備え、
前記前面板が視認者からみて、一方向の両端部分が中央部分より手前に位置する湾曲部分を有し、
前記両端部分の表示パネルに対向する導光板へ光を入射する前記発光素子の面密度は、前記中央部分の表示パネルに対向する導光板へ光を入射する前記発光素子の面密度よりも大きい、請求項１から６のいずれか１項に記載の表示装置。
【請求項８】
前記光源は、複数の発光素子を備え、
前記前面板が視認者からみて、一方向の両端部分が中央部分より手前に位置する湾曲部分を有し、
前記光源は、前記両端部分から前記中央部分に近づくにつれて、隣り合う前記発光素子の間隔が大きくなる前記発光素子の配列を有する、請求項１から６のいずれか１項に記載の表示装置。
【請求項９】
前記光源は、複数の発光素子を備え、
隣り合う前記導光板を比較すると、各前記導光板へ光を入射する前記発光素子の数が異なる、請求項１から７のいずれか１項に記載の表示装置。
【請求項１０】
前記光源は、複数の発光素子を備え、
前記光源は、複数のフレキシブル基板上に、複数の発光素子を備え、
前記フレキシブル基板は、前記導光板と一対一で配置される、請求項１から９のいずれか１項に記載の表示装置。
【請求項１１】
前記前面板が車両のダッシュボードに取り付けられ、
前記車両のハンドルに近い表示領域に対応する光源の発光素子の数は、前記ハンドルに遠い表示領域に対応する光源の発光素子の数よりも多い、請求項１から１０のいずれか１項に記載の表示装置。
【発明の詳細な説明】
【技術分野】
【０００１】
本発明は、表示装置に関する。
【背景技術】
【０００２】
特許文献１又は特許文献２のように、湾曲した表面を有する前面板に表示パネルが貼り付けられた表示装置が知られている。
【先行技術文献】
【特許文献】
【０００３】
【特許文献１】特開２０１６−１３６５２０号公報
【特許文献２】特開２０１３−２４２５２５号公報
【発明の概要】
【発明が解決しようとする課題】
【０００４】
ところで近年、表示装置の大画面化が求められることがある。
【０００５】
本発明は、複数の表示パネルで大画面化を実現することができる表示装置を提供することを目的とする。
【課題を解決するための手段】
【０００６】
本発明の一態様の表示装置は、透光性の前面板と、前記前面板に貼り合わせられ、前記前面板よりも小さい複数の表示パネルと、前記表示パネルと一対一となるように対向配置される複数の導光板と、前記導光板に光を入射する光源とを備える、バックライトユニットとを備える。
【図面の簡単な説明】
【０００７】
【図１】図１は、実施形態１に係る表示装置の分解斜視図である。
【図２】図２は、実施形態１に係る表示装置を前面板側からみた平面図である。
【図３】図３は、実施形態１に係る表示装置の前面板、表示パネル、光学シート、導光板の積層状態を説明する説明図である。
【図４】図４は、実施形態１に係る表示装置が搭載された車両の模式図である。
【図５】図５は、実施形態１に係る光源の平面図である。
【図６】図６は、実施形態１に係る光学シートのうち光拡散フィルムを説明するための平面図である。
【図７】図７は、実施形態２に係る光源の平面図である。
【図８】図８は、実施形態３に係る光源の平面図である。
【図９】図９は、実施形態４に係る光源の平面図である。
【図１０】図１０は、実施形態４の変形例に係る光源の平面図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の分解斜視図である。図２は、実施形態１に係る表示装置を前面板側からみた平面図である。図３は、実施形態１に係る表示装置の前面板、表示パネル、光学シート、導光板の積層状態を説明する説明図である。図３は、図２のＩＩＩ−ＩＩＩ’の断面における前面板１１、表示パネル２、光学シート４、導光板３の積層状態を示している。図４は、実施形態１に係る表示装置が搭載された車両の模式図である。
【００１０】
以下の説明において、ＸＹＺ直交座標系が用いられる。Ｘ軸は、表示パネル２の短辺に平行な軸である。Ｙ軸は、Ｘ軸に沿う方向からみて表示パネル２の両端を通る直線に平行な軸である。Ｚ軸は、Ｘ軸及びＹ軸の両方に対して直交する軸である。Ｘ軸に沿う方向はＸ方向と記載され、Ｙ軸に沿う方向はＹ方向と記載され、Ｚ軸に沿う方向はＺ方向と記載される。
【００１１】
図１に示すように、実施形態１に係る表示装置１は、前面板１１と、複数の表示パネル２と、光学シート４と、導光板３及び光源５を備えるバックライトユニット８と、を備える。実施形態１において、表示装置１は、さらに、フロントフレーム１２と、バックカバー１３とを備える。これにより、前面板１１、フロントフレーム１２及びバックカバー１３で囲まれた空間ができる。この空間には、複数の表示パネル２と、光学シート４と、バックライトユニット８とが収容される。
【００１２】
実施形態１において、フロントフレーム１２及びバックカバー１３を例示するが、表示装置１の筐体は、フロントフレーム１２及びバックカバー１３の形状に限定されない。実施形態１において、バックカバー１３は、導光板３を支持できる構造体である。これにより、Ｚ軸が鉛直方向と沿うように、表示装置１が設置されても、導光板３の重量が表示パネル２に応力として加わりにくい。導光板３を支持するために、バックカバー１３は金属部材である。
【００１３】
前面板１１は、表示パネル２を保護するカバー部材である。前面板１１は、例えばガラスで形成されている。表示パネル２は、不図示の粘着層を介して前面板１１に取り付けられる。図２に示すように、正面からみて、前面板１１が矩形である。
【００１４】
図３に示すように、前面板１１は、曲率Ｒ１で、全体に湾曲している。このように、前面板１１は、湾曲部分を有している。前面板１１は、透光性を有するガラス又は合成樹脂である。視認者からは前面板１１の表面に沿った表示面に、映像が表示されているようにみえる。
【００１５】
表示パネル２は、例えば液晶パネルである。表示パネル２は、第１基板及び第２基板と、第１基板及び第２基板に挟まれた液晶層と、を備える。第１基板及び第２基板は、ガラス等で形成されている。第１基板及び第２基板には、偏光板などの光学フィルムが貼られている。表示パネル２が前面板１１に貼り付けられることで、前面板１１の表面の曲率に沿って表示パネル２が湾曲している。視認者からみて、前面板１１のＸ軸方向の両端が中央より手前に位置する。
【００１６】
図２に示すように、前面板１１には、４つの表示パネル２が貼り合わされている。表示パネル２は、平面視でみると、前面板１１よりも小さい。前面板１１に貼り合わされる表示パネル２は、複数であればよく、表示パネル２の数の分だけ、表示装置１の大画面化を実現することができる。
【００１７】
図２に示すように、表示装置１は、表示パネル２の位置に応じて、表示領域２０Ａ、表示領域２０Ｂ、表示領域２０Ｃ、表示領域２０Ｄを有する。これにより、表示領域２０Ａ、２０Ｂ、２０Ｃ及び２０Ｄに対応する各表示パネル２の仕様は、異なる仕様とすることができる。表示領域２０Ａ、２０Ｂ、２０Ｃ及び２０Ｄは、解像度がそれぞれ異なっている。解像度は、例えば、ＶＧＡ、ＷＶＧＡ、ｑＨＤ（quarter  ＨＤ）、７２０ＨＤあるいは、Ｆｕｌｌ−ＨＤである。
【００１８】
なお、ＶＧＡとは、表示上の１画素が６４０個×４８０個のマトリクス状に配置された状態の解像度を示している。ＷＶＧＡとは、表示上の１画素が８００個×４８０個のマトリクス状に配置された状態の解像度を示している。ＷＶＧＡとは、表示上の１画素が８００個×４８０個のマトリクス状に配置された状態の解像度を示している。ｑＨＤ（quarter  ＨＤ）とは、表示上の１画素が９６０個×５４０個のマトリクス状に配置された状態の解像度を示している。７２０ＨＤとは、表示上の１画素が１２８０個×７２０個のマトリクス状に配置された状態の解像度を示している。Ｆｕｌｌ−ＨＤとは、表示上の１画素が１９２０個×１０８０個のマトリクス状に配置された状態の解像度を示している。Ｆｕｌｌ−ＨＤとは、表示上の１画素が２５６０個×１６００個のマトリクス状に配置された状態の解像度を示している。
【００１９】
表示領域２０Ａ、２０Ｂ、２０Ｃ及び２０Ｄに対応する各表示パネル２は、応答速度の仕様を異なるものとすることができる。又は、表示領域２０Ａ、２０Ｂ、２０Ｃ及び２０Ｄに対応する各表示パネル２の少なくとも１つは、タッチパネルを有してもよい。タッチパネルは、表示パネル２の配線の一部を利用して、機能発揮してもよい。あるいは、タッチパネルは、表示パネル２に外付けで取り付け、前面板１１と表示パネル２との間に配置してもよい。
【００２０】
表示領域２０Ａ、２０Ｂ、２０Ｃ及び２０Ｄに対応する各表示パネル２は、スイッチング素子の仕様を異なるものとすることができる。例えば、表示領域２０Ａ、２０Ｂ、２０Ｃ及び２０Ｄに対応する各表示パネル２のうち少なくとも１つ表示パネルのスイッチング素子を低温ポリシリコンとし、他の表示パネルのスイッチング素子をアモルファスシリコンとすることもできる。
【００２１】
例えば表示装置１は、図４に示すように車両１００のダッシュボード１０１に取り付けられる。このような使用例によれば、前面板１１の表面が湾曲していることにより、ダッシュボード１０１の曲面状の内装と表示装置１の前面板１１の形状とが滑らかに繋がるという利点がある。表示領域２０Ａ、２０Ｂ、２０Ｃ及び２０Ｄには、例えば、ナビゲーション、スピードメーター、タコメーター、燃料計及び水温計等のいずれかがそれぞれ表示される。
【００２２】
実施形態１において、車両１００は、右ハンドル仕様であり、ハンドル１０２よりの表示領域は、表示領域２０Ｃ及び表示領域２０Ｄである。
【００２３】
図１に示すように、光源５は、複数の発光素子７と、フレキシブル基板６とを含む。複数の発光素子７が導光板３の一側面に対向配置するように、フレキシブル基板６上に、配列されている。図５は、実施形態１に係る光源の平面図である。図５に示すように、フレキシブル基板６は、前面板１１の曲率Ｒ１（図３参照）に沿うように、全体に湾曲している。そして、図１に示す導光板３の側面に沿うように、複数の発光素子７が配列されている。なお、フレキシブル基板６は、矩形であって、図１に示す導光板３の側面に沿うように、複数の発光素子７が配列されていてもよい。
【００２４】
図５に示す領域ＬＡに配置されている発光素子７は、図３に示す領域ＬＡに配置された導光板３へ光を発射する。図３に示す領域ＬＡの導光板３は、図２に示す表示領域２０Ａに対応する表示パネル２と一対一で配置される。図５に示す領域ＬＢに配置されている発光素子７は、図３に示す領域ＬＢに配置された導光板３へ光を発射する。図３に示す領域ＬＢの導光板３は、図２に示す表示領域２０Ｂに対応する表示パネル２と一対一で配置される。
【００２５】
同様に、図５に示す領域ＬＣに配置されている発光素子７は、図３に示す領域ＬＣに配置された導光板３へ光を発射する。図３に示す領域ＬＣの導光板３は、図２に示す表示領域２０Ｃに対応する表示パネル２と一対一で配置される。また、図５に示す領域ＬＤに配置されている発光素子７は、図３に示す領域ＬＤに配置された導光板３へ光を発射する。図３に示す領域ＬＤの導光板３は、図２に示す表示領域２０Ｄに対応する表示パネル２と一対一で配置される。
【００２６】
図１に示すように、複数の導光板３は、放射面に曲面部分を設けなくても、Ｘ軸方向に並べることで、各表示パネル２に光を効率よく発射できる。このため、複数の導光板３は、表示パネル２に対向する側の放射面を平面にすることができる。その結果、導光板３の製造コストが低減される。
【００２７】
仮に、４つの導光板３を一体に形成すると、重量が重くなり、組み立てが難しくなる。これに対し、実施形態１において、複数の導光板３が表示パネル２と一対一で配置されるので、１つ当たりの導光板３の重量が小さくなり、組み立てが容易になる。
【００２８】
実施形態１において、領域ＬＡ、ＬＢ、ＬＣ及びＬＤにそれぞれ配置されている発光素子７は、同じ数である。領域ＬＡ、ＬＢ、ＬＣ及びＬＤにおける隣り合う発光素子７の間隔は、等ピッチで配置されている。
【００２９】
図３に示すように、表示装置１は、領域ＬＡ、ＬＢ、ＬＣ及びＬＤの各表示パネル２と一対一で配置される複数の導光板３を備えている。図３に示すように、領域ＬＡ、ＬＢ、ＬＣ及びＬＤのそれぞれの位置において、一対の導光板３及び表示パネル２が、共通の光学シート４を挟む。
【００３０】
隣り合う導光板３と導光板３との間には、透光性の光学樹脂又は透光性のシリコーン樹脂の充填材３１が充填されている。これにより、導光板３と導光板３との間における輝度の低下が抑制される。充填材３１は、表示装置１に振動が加わっても、導光板３同士が直接接して、異音を生じる可能性を抑制する緩衝作用を有する。透光性のシリコーン樹脂が充填材３１に用いられると、光学樹脂の弾性率よりもシリコーン樹脂の弾性率が大きいので、振動に対する異音抑制の作用がより向上する。
【００３１】
光学シート４は、輝度向上フィルム４１と、光拡散フィルム４２とを備える。輝度向上フィルム４１は、バックライトユニット８の出射光の輝度レベルを向上させる作用を有している。
【００３２】
光拡散フィルム４２は、隣り合う導光板３の間も覆う。図６は、実施形態１に係る光学シートのうち光拡散フィルムを説明するための平面図である。図６に示すように、光拡散フィルム４２は、１枚のフィルムにおいて、領域４３Ａ、４３Ｂ、４３Ｃ、４３Ｄ及び領域４４を有する。光拡散フィルム４２において、領域４３Ａ、４３Ｂ、４３Ｃ及び４３Ｄは、図２に示す表示領域２０Ａ、２０Ｂ、２０Ｃ及び２０Ｄに対応している。つまり、領域４３Ａ、４３Ｂ、４３Ｃ及び４３Ｄは、導光板３の放射面を覆う。
【００３３】
以上説明したように、実施形態１の表示装置１は、透光性の前面板１１と、複数の表示パネル２と、バックライトユニット８とを備える。バックライトユニット８は、複数の導光板３と、導光板３に光を入射する光源５とを備える。複数の表示パネル２は、前面板１１に貼り合わせられ、前面板１１よりも小さい。複数の導光板３は、表示パネル２と一対一となるように対向配置される。
【００３４】
この構成により、並べられた表示パネル２同士の間に、導光板３の放射面がないので、表示領域２０Ａ、２０Ｂ、２０Ｃ及び２０Ｄのそれぞれの境目が視認しにくくなる。その結果、複数の表示パネル２で大画面化を実現することができる。
【００３５】
図６に示す、少なくとも領域４４の曇り度（ヘーズ）は、領域４３Ａ、４３Ｂ、４３Ｃ及び４３Ｄのいずれかよりも大きくなっている。曇り度は、透光性の母材に添加する光拡散剤の印刷濃度を変えることで、適宜変更可能である。ここで、曇り度（ヘーズ）は、プラスチック−透明材料のヘーズの求め方（ＪＩＳ  Ｋ  ７１３６）に基づいて、測定することができる。
【００３６】
図３に示すように、輝度向上フィルム４１と光拡散フィルム４２とを重ね合わせているので、光学シート４の部分的な曇り度の差は、光拡散フィルム４２の部分的な曇り度の差に影響を受ける。このため、隣り合う導光板３の間を覆う光学シート４の曇り度は、表示パネル２に対向する複数の放射面を覆う光学シート４の領域の曇り度よりも大きい。これにより、表示領域２０Ａ、２０Ｂ、２０Ｃ及び２０Ｄのそれぞれの境目がさらに視認しにくくなる。その結果、複数の表示パネル２で大画面化を実現することができる。
【００３７】
図６に示す、領域４３Ａ、４３Ｂ、４３Ｃ及び４３Ｄの曇り度は、それぞれ同じでもよく、異ならせてもよい。例えば、表示領域２０Ａ、２０Ｂ、２０Ｃ及び２０Ｄの解像度がそれぞれ異なっている場合、図６に示す、領域４３Ａ、４３Ｂ、４３Ｃ及び４３Ｄの曇り度をそれぞれ適切な値にして、それぞれ異ならせることにより、表示領域２０Ａ、２０Ｂ、２０Ｃ及び２０Ｄの色味を一様に調整することができる。
【００３８】
前面板１１の湾曲部分は、曲率Ｒ１で、全体に湾曲している形状を例示したが、これに限られない。例えば、他の態様の前面板は、第１曲率の曲面部分と、第１曲率とは異なる第２曲率の曲面部分と、が連結部で接続していてもよい。又は、他の態様の前面板において、第１曲率の曲面部分が表示パネル２側からみて凸面とすると、第２曲率の曲面部分は凹面であり、視認者側からみて、第１曲率の曲面部分が凹面とすると、第２曲率の曲面部分が凸面であるように湾曲していてもよい。
【００３９】
（実施形態２）
図７は、実施形態２に係る光源の平面図である。実施形態２の説明において、実施形態１と同じ構成要素については、同じ符号を付して、詳細な説明を省略する。実施形態２の表示装置は、図７に示す光源５のみが実施形態１の表示装置１とは異なる。
【００４０】
図３に示すように、前面板１１は、曲率Ｒ１で、全体に湾曲している。このため、視認者からみて、前面板１１のＸ軸方向の両端が中央より手前に位置する。ここで、図１に示すように、導光板３の法線方向は、前面板１１のＸ軸方向の中央側に向くことになる。その結果、導光板３が出射する光量は、前面板１１のＸ軸方向の中央部分が、前面板１１のＸ軸方向の両端部分よりも多くなりやすい。
【００４１】
そこで、図７に示すように、実施形態２に係る光源５において、領域ＬＡ、領域ＬＤに配置される発光素子７の面密度が、領域ＬＢ、領域ＬＣに配置される発光素子７の面密度より大きくする。これにより、前面板１１のＸ軸方向の両側にある領域ＬＡ、領域ＬＤにおいて、導光板３が出射する光量を増加することができる。
【００４２】
以上説明したように、光源５は、複数の発光素子７を備える。また、図１に示すように前面板１１が視認者からみて、一方向の両端部分が中央部分より手前に位置する湾曲部分を有している。この両端部分の表示パネル２に対向する導光板３へ光を入射する発光素子７の面密度は、中央部分の表示パネル２に対向する導光板３へ光を入射する発光素子７の面密度よりも大きくなっている。その結果、領域ＬＡ、ＬＢ、ＬＣ及びＬＤにおける光量の分布が、視認者に輝度のムラとして認識されにくくなる。
【００４３】
図７に示すように、実施形態２に係る光源５において、領域ＬＡ、領域ＬＤに配置される隣り合う発光素子７の間隔Ｐ３が等しい。これに対して、領域ＬＢ、領域ＬＣに配置される発光素子７は、領域ＬＢと領域ＬＣとの境界である中央に近づくにつれて、隣り合う発光素子７の間隔が大きくなる。具体的には、隣り合う発光素子７の間隔Ｐ１は、隣り合う発光素子７の間隔Ｐ２よりも大きく、隣り合う発光素子７の間隔Ｐ２は、隣り合う発光素子７の間隔Ｐ３よりも大きい。
【００４４】
つまり、光源５は、前面板１１の両端部分から中央部分に近づくにつれて、隣り合う発光素子７の間隔が大きくなる発光素子７の配列を有する。このように、領域ＬＢ、領域ＬＣに配置される隣り合う発光素子７の間隔が不等ピッチとなることで、領域ＬＢ、領域ＬＣのそれぞれにおいても、光量の分布が、視認者に輝度のムラとして認識されにくくなる。
【００４５】
（実施形態３）
図８は、実施形態３に係る光源の平面図である。実施形態３の説明において、実施形態１と同じ構成要素については、同じ符号を付して、詳細な説明を省略する。実施形態３の表示装置は、図８に示す光源５のみが実施形態１の表示装置１とは異なる。
【００４６】
図４に示すように、車両１００は、右ハンドル仕様であり、ハンドル１０２が近い表示領域は、表示領域２０Ｃ及び表示領域２０Ｄである。このような仕様の場合、表示領域２０Ｃ及び表示領域２０Ｄは、表示領域２０Ａ及び表示領域２０Ｂよりも視認性を高めたい要求がある場合がある。
【００４７】
このため、視認者からみて、前面板１１のＸ軸方向における右側の導光板３が出射する光量は、左側の導光板３が出射する光量よりも大きくなるようにする。
【００４８】
実施形態３に係る表示装置において、図８に示す光源５は、領域ＬＣ、領域ＬＤに配置される発光素子７の面密度が、領域ＬＡ、領域ＬＢに配置される発光素子７の面密度より大きくする。このように、前面板１１が車両１００のダッシュボード１０１に取り付けられている。この場合、車両１００のハンドル１０２に近い表示領域２０Ｃ及び表示領域２０Ｄに対応する光源５の発光素子７の数は、ハンドル１０２に遠い表示領域２０Ａ及び表示領域２０Ｂに対応する光源５の発光素子７の数よりも多い。これにより、前面板１１のＸ軸方向における右側にある領域ＬＣ、領域ＬＤにおいて、導光板３が出射する光量を増加することができる。その結果、表示領域２０Ｃ及び表示領域２０Ｄは、視認者に認識されやすくなる。
【００４９】
車両１００が左ハンドル仕様であり、ハンドル１０２が近い表示領域は、表示領域２０Ａ及び表示領域２０Ｂである場合、光源５は、領域ＬＡ、領域ＬＢに配置される発光素子７の面密度が、領域ＬＣ、領域ＬＤに配置される発光素子７の面密度より大きくすればよい。
【００５０】
（実施形態４）
図９は、実施形態４に係る光源の平面図である。実施形態４の説明において、実施形態１と同じ構成要素については、同じ符号を付して、詳細な説明を省略する。実施形態４の表示装置は、図９に示す光源５のみが実施形態１の表示装置１とは異なる。
【００５１】
実施形態４の表示装置においては、図２に示す表示領域２０Ａ、２０Ｂ、２０Ｃ及び２０Ｄで要求される輝度がそれぞれ異なる。実施形態４においては、輝度の要求の大きい順に、表示領域２０Ｄ、表示領域２０Ｂ、表示領域２０Ｃ、表示領域２０Ａとなる。
【００５２】
実施形態４に係る表示装置において、図９に示す光源５は、領域ＬＤ、領域ＬＢ、領域ＬＣ、領域ＬＡの順に、発光素子７の面密度が小さくなる。このようにすることで、隣り合う導光板３を比較すると、各導光板３へ光を入射する発光素子７の数が異なっている。これにより、表示領域２０Ｄ、表示領域２０Ｂ、表示領域２０Ｃ、表示領域２０Ａの順に、導光板３が出射する光量を小さくすることができる。その結果、表示領域２０Ａ、２０Ｂ、２０Ｃ及び２０Ｄで要求される輝度でそれぞれ映像が表示されるので、視認者に映像が認識されやすくなる。
【００５３】
（実施形態４の変形例）
図１０は、実施形態４の変形例に係る光源の平面図である。実施形態４の変形例の説明において、実施形態４と同じ構成要素については、同じ符号を付して、詳細な説明を省略する。実施形態４の変形例の表示装置は、図１０に示す光源５のみが実施形態１の表示装置１とは異なる。
【００５４】
図１０に示す光源５は、複数のフレキシブル基板６Ａ、６Ｂ、６Ｃ及び６Ｄを有する。フレキシブル基板６Ａ、６Ｂ、６Ｃ及び６Ｄは、複数の導光板３と一対一でそれぞれ配置されている。
【００５５】
これにより、フレキシブル基板６Ａ、６Ｂ、６Ｃ及び６Ｄは、それぞれ独立して制御可能になる。実施形態４の変形例においても実施形態４と同様に、輝度の要求の大きい順に、表示領域２０Ｄ、表示領域２０Ｂ、表示領域２０Ｃ、表示領域２０Ａとなる。実施形態４の変形例においては、発光素子７の面密度を異ならせると共に、フレキシブル基板６Ａ、６Ｂ、６Ｃ及び６Ｄ毎に供給する電力量を調整し、フレキシブル基板６Ａ、６Ｂ、６Ｃ及び６Ｄに配置される光源５の発光量を輝度の要求に合わせてより詳細に調整できる。
【００５６】
また、本実施形態において述べた態様によりもたらされる他の作用効果について本明細書記載から明らかなもの、又は当業者において適宜想到し得るものについては、当然に本態様によりもたらされるものと解される。上述した実施形態は、適宜組み合わせることが可能である。
【符号の説明】
【００５７】
１  表示装置
２  表示パネル
３  導光板
４  光学シート
５  光源
６、６Ａ、６Ｂ、６Ｃ、６Ｄ  フレキシブル基板
７  発光素子
８  バックライトユニット
１１  前面板
１２  フロントフレーム
１３  バックカバー
２０Ａ、２０Ｂ、２０Ｃ、２０Ｄ  表示領域
３１  充填材
４１  輝度向上フィルム
４２  光拡散フィルム
４３Ａ  領域
４４  領域
１００  車両
１０１  ダッシュボード
１０２  ハンドル
【図１】
2019160747.tif 000003
【図２】
2019160747.tif 000004
【図３】
2019160747.tif 000005
【図４】
2019160747.tif 000006
【図５】
2019160747.tif 000007
【図６】
2019160747.tif 000008
【図７】
2019160747.tif 000009
【図８】
2019160747.tif 000010
【図９】
2019160747.tif 000011
【図１０】
2019160747.tif 000012